【手続補正書】
【提出日】平成19年12月14日(2007.12.14)
【手続補正１】
【補正対象書類名】特許請求の範囲
【補正対象項目名】全文
【補正方法】変更
【補正の内容】
【特許請求の範囲】
【請求項１】
圧搾ボトル噴霧器の供給ヘッドであって、
内部を貫通するように空気オリフィス及び液体オリフィスを有し、内部に空隙を画定するとともに、さらにプラグシールを画定する噴霧器ハウジングと、
空隙の中に含まれる弁であって、空気通路、心棒部材を画定する液体通路、混合室、及び出口オリフィスを画定し、出口オリフィスと略整列する長手方向軸に沿って開放位置と閉止位置との間を滑ることができる弁と、
弁が閉止位置にあるとき、液体通路の心棒部分を封止するように構成される前記プラグシールと、浸漬管を封止するように構成される前記心棒部材とを含み、
液体通路が、弁の開放位置で混合室及び液体オリフィスと連通し、
空気通路が、弁の開放位置で混合室及び空気オリフィスと連通し、
弁が閉止位置にあるとき、混合室が、液体オリフィス及び空気オリフィスと連通しないことを特徴とする供給ヘッド。
【請求項２】
前記弁及び前記噴霧オリフィスと同じ側にプルノブが配置されていることを特徴とする請求項１に記載の供給ヘッド。
【請求項３】
更に、容器が作動されなくなったとき、容器内の液体のレベルよりも高いレベルで浸漬管の中に液体を保持する手段を含むことを特徴とする請求項２に記載の供給ヘッド。
【請求項４】
浸漬管の中に液体を保持する前記手段が玉逆止め弁であることを特徴とする請求項３に記載の供給ヘッド。
【請求項５】
前記玉逆止め弁が給送管を有し、前記給送管は全体を通して実質的に同じ直径を有し、更に、前記液体オリフィスの中に配置された保持リブを含むことを特徴とする請求項４に記載の供給ヘッド。
【請求項６】
ボトルを圧搾したとき、液体が浸漬管を昇るように強制され、液体と空気の噴霧が噴霧オリフィスを介して発散するように作動される圧搾ボトル噴霧器であって、
或る量の液体、及び或る量の空気を液体の上に含む圧搾可能なボトルと、
前記或る量の液体の中へ伸びる浸漬管と、
プラグシールを有するとともに、弁の受容部を画定し、弁、及び混合室を画定するテーパ部分を有する噴霧器本体であって、テーパ部分は噴霧オリフィスの方向へ先細りになり、噴霧オリフィスはテーパ部分の終点で弁を通るように画定され、弁は、弁の開放位置で混合室と浸漬管とを接続する液体通路を画定し、液体通路は心棒部分を画定し、液体通路の少なくとも一部分は、噴霧オリフィスの方向に配置され、また前記一部分と前記噴霧オリフィスに整列した長手方向軸を有し、弁及び液体通路は、前記長手方向軸に沿って閉止位置へ選択的に滑ることができ、混合室が前記閉止位置で浸漬管から切り離される噴霧器本体と、
液体通路の前記一部分の周りで同心的に配置され、前記或る量の空気を含むボトルの内部を混合室と接続し、噴霧器本体のテーパ部分に丁度対向する位置で混合室と連通する空気通路であって、前記混合室は弁の閉止位置でボトルの内部から切り離される空気通路と、
噴霧オリフィスとして、弁と同じ側に置かれたプルノブとを含み、
弁が閉止位置にあるとき、前記プラグシールは液体通路の心棒部分を封止するように構成され、前記心棒部材は浸漬管を封止するように構成され、
弁が閉止位置で圧搾ボトル噴霧器が作動されたとき、空気通路からの空気ストリームは、噴霧器本体のテーパ部分によって偏向され、混合室の中で液体通路からの液体の中心ストリームに集束及び衝突し、液体ストリームを霧にすることを特徴とする圧搾ボトル噴霧器。
【請求項７】
更に、前記浸漬管及び前記液体通路と流体連絡する玉逆止め弁を含み、玉逆止め弁は、容器が作動されたとき、ボトル内の液体のレベルよりも高いレベルで浸漬管の中に液体を保持することを特徴とする請求項６に記載の圧搾ボトル噴霧器。
【請求項８】
ボトルを圧搾したとき、液体が浸漬管を昇るように強制され、液体と空気の噴霧が噴霧オリフィスを介して発散するように作動される圧搾ボトル噴霧器であって、
或る量の液体、及び或る量の空気を液体の上に含む圧搾可能なボトルと、
前記或る量の液体の中へ伸びる浸漬管と、
プラグシールを有するとともに、弁の受容部を画定し、弁、及び混合室を画定するテーパ部分を有する噴霧器本体であって、テーパ部分は噴霧オリフィスの方向へ先細りになり、噴霧オリフィスはテーパ部分の終点で弁を通るように画定され、弁は、弁の開放位置で混合室と浸漬管とを接続する液体通路を画定し、液体通路は心棒部分を画定し、液体通路の少なくとも一部分は、噴霧オリフィスの方向に配置され、また前記一部分と前記噴霧オリフィスに整列した長手方向軸を有し、弁及び液体通路は、前記長手方向軸に沿って閉止位置へ選択的に滑ることができ、混合室が前記閉止位置で浸漬管から切り離され、この弁が２つの部品から構成される噴霧器本体と、
液体通路の前記一部分の周りで同心的に配置され、前記或る量の空気を含むボトルの内部を混合室と接続し、噴霧器本体のテーパ部分に丁度対向する位置で混合室と連通する空気通路であって、前記混合室は弁の閉止位置でボトルの内部から切り離される空気通路と、
噴霧オリフィスとして、弁と同じ側に置かれたプルノブとを含み、
弁が閉止位置にあるとき、前記プラグシールは液体通路の心棒部分を封止するように構成され、前記心棒部材は浸漬管を封止するように構成され、
弁が閉止位置で圧搾ボトル噴霧器が作動されたとき、空気通路からの空気ストリームは、噴霧器本体のテーパ部分によって偏向され、混合室の中で液体通路からの液体の中心ストリームに集束及び衝突し、液体ストリームを霧にすることを特徴とする圧搾ボトル噴霧器。
【請求項９】
ボトルを圧搾したとき、液体が浸漬管を昇るように強制され、液体と空気の噴霧が噴霧オリフィスを介して発散するように作動される圧搾ボトル噴霧器であって、
或る量の液体、及び或る量の空気を液体の上に含み、固定リムを有するネックを含む圧搾可能なボトルと、
前記或る量の液体の中へ伸びる浸漬管と、
プラグシールを有するとともに、弁の受容部を画定し、弁、及び混合室を画定するテーパ部分を有する噴霧器本体であって、テーパ部分は噴霧オリフィスの方向へ先細りになり、噴霧オリフィスはテーパ部分の終点で弁を通るように画定され、弁は、弁の開放位置で混合室と浸漬管とを接続する液体通路を画定し、液体通路は心棒部分を画定し、液体通路の少なくとも一部分は、噴霧オリフィスの方向に配置され、また前記一部分と前記噴霧オリフィスに整列した長手方向軸を有し、弁及び液体通路は、前記長手方向軸に沿って閉止位置へ選択的に滑ることができ、混合室が前記閉止位置で浸漬管から切り離され、固定リムと協調してボトルに対して固定される噴霧器本体と、
液体通路の前記一部分の周りで同心的に配置され、前記或る量の空気を含むボトルの内部を混合室と接続し、噴霧器本体のテーパ部分に丁度対向する位置で混合室と連通する空気通路であって、前記混合室は弁の閉止位置でボトルの内部から切り離される空気通路と、
弁が閉止位置にあるとき、前記プラグシールは液体通路の心棒部分を封止するように構成され、前記心棒部材は浸漬管を封止するように構成され、
弁が閉止位置で圧搾ボトル噴霧器が作動されたとき、空気通路からの空気ストリームは、噴霧器本体のテーパ部分によって偏向され、混合室の中で液体通路からの液体の中心ストリームに集束及び衝突し、液体ストリームを霧にすることを特徴とする圧搾ボトル噴霧器。
【請求項１０】
前記ボトルはネックとボトルとの接続部に環状溝を形成し、前記噴霧器本体は環状溝の中へ伸びる柔軟性スカートを有し、この環状溝が柔軟性スカートへ放射方向に内側の力を加えるような形状を有することを特徴とする請求項９に記載の圧搾ボトル噴霧器。
【請求項１１】
噴霧供給器を有するボトルであって、
柔軟性スカート、及び柔軟性スカートの上の第１の固定エッジを有するとともに、一体化された弁を有する噴霧ハウジングと、
ネック、ネックの上の第２の固定エッジ、ネックとボトルとの接合部でボトルに形成された環状溝を有するボトルと、
第１の固定エッジ及び第２の固定エッジが協調して噴霧ハウジングをボトルへ固定し、柔軟性スカート及び環状溝が協調して追加の固定力を提供し、
環状溝が、柔軟性スカートへ放射方向に内側の力を加えるような形状を有することを特徴とするボトル。